(57)【要約】 【課題】  画像に含まれる潜像画像の、可視光下での視認性を低下させること。【解決手段】  可視画像を取得する可視画像生成部３０と、互いに異なる光学的特性を有する複数の種類のインクを用いて生成される網点画像を取得する不可視画像生成部４０−１と、カモフラージュパターンを取得するカモフラージュ画像生成部５０−１と、前記可視画像、前記網点画像及び前記カモフラージュパターンに基づく所定の画像処理を行う合成部７０−１と、を含む画像生成装置。【選択図】      図３
2006086903.tif 000002
【特許請求の範囲】
【請求項１】
可視画像を取得する画像取得手段と、
互いに異なる光学的特性を有する複数の種類のインクを用いて生成される網点画像を取得する網点画像取得手段と、
カモフラージュパターンを取得するカモフラージュパターン取得手段と、
前記可視画像、前記網点画像及び前記カモフラージュパターンに基づく所定の画像処理を行う画像処理手段と、
を含むことを特徴とする画像生成装置。
【請求項２】
請求項１に記載の画像生成装置において、
前記可視画像の平坦度に基づいて、前記所定の画像処理において、前記カモフラージュパターンを使用するか否かを決定するカモフラージュパターン使用決定手段、
をさらに含むことを特徴とする画像生成装置。
【請求項３】
請求項２に記載の画像生成装置において、
前記平坦度は、前記可視画像に含まれるエッジ成分の量に応じて決定される、
ことを特徴とする画像生成装置。
【請求項４】
請求項１に記載の画像生成装置において、
前記所定の画像処理は、前記可視画像を前記カモフラージュパターンに応じて変更し、
さらに、該変更された前記可視画像と、前記網点画像と、を合成することにより、合成画像を生成することである、
ことを特徴とする画像生成装置。
【請求項５】
請求項４に記載の画像生成装置において、
前記所定の画像処理における、前記可視画像を前記カモフラージュパターンに応じて変更する処理は、前記可視画像を前記カモフラージュパターンに従って白抜きすることにより、該可視画像を変更することである、
ことを特徴とする画像生成装置。
【請求項６】
請求項１に記載の画像生成装置において、
前記所定の画像処理は、前記網点画像の各網点について、前記カモフラージュパターンに応じて所定の変更を行うことにより、該網点画像と、該カモフラージュパターンと、を合成し、
さらに、該合成することにより得られる画像と、前記可視画像と、を合成することにより、前記合成画像を生成することである、
ことを特徴とする画像生成装置。
【請求項７】
可視画像を取得する画像取得ステップと、
互いに異なる光学的特性を有する複数の種類のインクを用いて生成される網点画像を取得する網点画像取得ステップと、
カモフラージュパターンを取得するカモフラージュパターン取得ステップと、
前記可視画像、前記網点画像及び前記カモフラージュパターンに基づく所定の画像処理を行う画像処理ステップと、
を含むことを特徴とする画像生成方法。
【請求項８】
可視画像を取得する画像取得手段、
互いに異なる光学的特性を有する複数の種類のインクを用いて生成される網点画像を取得する網点画像取得手段、
カモフラージュパターンを取得するカモフラージュパターン取得手段、及び、
前記可視画像、前記網点画像及び前記カモフラージュパターンに基づく所定の画像処理を行う画像処理手段、
としてコンピュータを機能させるためのプログラム。
【発明の詳細な説明】
【技術分野】
【０００１】
本発明は、画像生成装置、画像生成方法及びプログラムに関し、特に画像生成時に埋め込まれる潜像に関する。
【背景技術】
【０００２】
印刷物の原本性を確保するために、印刷物に、特定波長の光のみで識別することのできる潜像画像を含ませておく技術がある。このような技術の具体的な例として、特許文献１には、赤外線吸収性色素を含むブラック（Ｋ）インク（単色ブラック）と、赤外線吸収性色素を含まないシアン（Ｃ），マゼンタ（Ｍ），イエロー（Ｙ）の３原色インクで作製された黒色系インク（プロセスブラック）とを使い分けることにより、特殊鑑定装置等を用いないかぎり画像を認識することができない不可視画像を含めた複写牽制画像として印刷することに関する技術が開示されている。
【０００３】
そして、複写機は赤外線吸収性の差を認識できないため、複写機において上記複写牽制画像をコピーしても潜像画像は複写されない。このため、複写された複写牽制画像には潜像画像が複写されないことになり、複写された複写牽制画像と元の複写牽制画像を潜像画像の有無により識別することができるので、複写牽制画像の原本性を確保することができる。
【特許文献１】特開２００３−１３６８２８号公報
【発明の開示】
【発明が解決しようとする課題】
【０００４】
しかしながら、実際には単色ブラックとプロセスブラックとの間で色差がある。このため、背景画像によっては、可視光下でも単色ブラックとプロセスブラックの違いを人間の目で確認することができ、潜像画像を取得されてしまう可能性があった。そして、潜像画像が取得できれば、複写牽制画像に該潜像画像を含ませることにより、潜像画像を含む複写牽制画像が作成できてしまい、原本性の確保において課題があった。
【０００５】
本発明は上記課題に鑑みてなされたものであって、その目的の一つは、画像に含まれる潜像画像の、可視光下での視認性を低下させることを可能にする画像生成装置、画像生成方法及びプログラムを提供することにある。
【課題を解決するための手段】
【０００６】
上記課題を解決するための本発明は、可視画像を取得する画像取得手段と、互いに異なる光学的特性を有する複数の種類のインクを用いて生成される網点画像を取得する網点画像取得手段と、カモフラージュパターンを取得するカモフラージュパターン取得手段と、前記可視画像、前記網点画像及び前記カモフラージュパターンに基づく所定の画像処理を行う画像処理手段と、を含むことを特徴とする。
【０００７】
このようにすることにより、カモフラージュパターンに基づいて、画像処理を行うことができるので、画像に含まれる潜像画像の、可視光下での視認性を低下させることが可能になる。
【０００８】
また、上記画像生成装置において、前記可視画像の平坦度に基づいて、前記所定の画像処理において、前記カモフラージュパターンを使用するか否かを決定するカモフラージュパターン使用決定手段、をさらに含むこととしてもよい。そしてこの場合においてさらに、前記平坦度は、前記可視画像に含まれるエッジ成分の量に応じて決定される、こととしてもよい。このようにすれば、平坦度の高い可視画像にのみ、画像処理を行うことができる。
【０００９】
また、上記画像生成装置において、前記所定の画像処理は、前記可視画像を前記カモフラージュパターンに応じて変更し、さらに、該変更された前記可視画像と、前記網点画像と、を合成することにより、合成画像を生成することである、こととしてもよい。そしてこの場合においてさらに、前記所定の画像処理における、前記可視画像を前記カモフラージュパターンに応じて変更する処理は、前記可視画像を前記カモフラージュパターンに従って白抜きすることにより、該可視画像を変更することである、こととしてもよい。
【００１０】
また、上記画像生成装置において、前記所定の画像処理は、前記網点画像の各網点について、前記カモフラージュパターンに応じて所定の変更を行うことにより、該網点画像と、該カモフラージュパターンと、を合成し、さらに、該合成することにより得られる画像と、前記可視画像と、を合成することにより、前記合成画像を生成することである、こととしてもよい。
【００１１】
また、本発明に係る画像生成方法は、可視画像を取得する画像取得ステップと、互いに異なる光学的特性を有する複数の種類のインクを用いて生成される網点画像を取得する網点画像取得ステップと、カモフラージュパターンを取得するカモフラージュパターン取得ステップと、前記可視画像、前記網点画像及び前記カモフラージュパターンに基づく所定の画像処理を行う画像処理ステップと、を含むことを特徴とする。
【００１２】
また、本発明に係るプログラムは、可視画像を取得する画像取得手段、互いに異なる光学的特性を有する複数の種類のインクを用いて生成される網点画像を取得する網点画像取得手段、カモフラージュパターンを取得するカモフラージュパターン取得手段、及び、前記可視画像、前記網点画像及び前記カモフラージュパターンに基づく所定の画像処理を行う画像処理手段、としてコンピュータを機能させるためのプログラムである。
【発明を実施するための最良の形態】
【００１３】
本発明の実施の形態について、図面を参照しながら説明する。
【００１４】
図１は本実施の形態に係る画像生成装置１０のハードウェア構成図である。画像生成装置１０は、制御装置１２及び印刷装置１４を含んで構成され、制御装置１２には印刷装置１４が接続される。制御装置１２は、例えばコンピュータを用いて実現され、制御装置１２に備えられるＣＰＵなどの情報処理手段や主記憶や副記憶などの情報記憶手段を使用して、本実施の形態における画像生成処理を実行している。そして、該画像処理はソフトウェアプログラムを実行することにより実現されることが好適であり、情報記憶手段に該プログラムを記憶し、該記憶手段により記憶される該プログラムを情報処理手段が読み出し、該読み出したプログラムを実行することにより、画像生成処理が実行される。また、情報処理手段は、画像生成処理を行った結果生成される偽造防止画像を、電子文書などの文書画像に合成することにより生成される出力画像を示す出力画像データを、印刷装置１４に出力する処理も行う。
【００１５】
印刷装置１４には、例えばマルチファンクション複写機やプリンタを使用することができる。該印刷装置１４は、制御装置１２とが一体に構成されてもよいし、パラレルケーブルやローカルエリアネットワークなどの通信手段を通じて制御装置１２と接続されてもよい。そして、制御装置１２により出力される上記出力画像データをラスタデータに展開し、該ラスタデータの印刷を行う。印刷時に使用するトナーには、ＣＭＹＫ４色のものを用いる。ＣＭＹＫとは、それぞれイエロー（Ｙ）、マゼンタ（Ｍ）、シアン（Ｃ）、ブラック（Ｋ）であり、ＣＭＹの３色と、Ｋと、でその材料を異ならせ、赤外波長の吸収率を異ならせておく。
【００１６】
以下、本実施の形態における画像生成処理について説明する。
【００１７】
はじめに、第１の実施形態における画像生成処理において生成される印刷物である出力画像の例を示す。図２は、本画像生成処理における、（Ａ）出力画像、（Ｂ）可視画像、（Ｃ）不可視画像、（Ｄ）カモフラージュ画像をそれぞれ示す図である。図２（Ｂ）の可視画像は偽造を防止したい画像そのものである。ここでは寺の写真を例に挙げているが、例えば住民票などの公的文書などを使用することも好適である。図２（Ｃ）の不可視画像は、黒色の網点画像で構成されている。そして各網点の印刷時に、潜像画像に応じてＣＭＹを合成して生成されるプロセスブラック又はＫのみからなる単色ブラック（カーボンブラック）のいずれかを選択的に使用することにより、可視光下では同一の黒色でも、潜像画像に応じて各網点の赤外波長吸収率が異なることとなり、赤外線で見ることにより、潜像画像が浮き上がって見えることとなる。なおここでは、潜像画像として「Ｆ」の文字を使用している例を示している。図２（Ｄ）のカモフラージュ画像としては、不可視画像と合成された場合に不可視画像の視認性を阻害することができるような画像が実験的に決定される。なお、ここでは同一の画像の繰り返しパターンとしているが、繰り返しでなくてもよい。
【００１８】
そして可視画像、不可視画像、カモフラージュ画像を合成することにより所定の画像処理を行い、図２（Ａ）の複写牽制画像が生成される。なお、図２（Ａ）では、分かりやすくするため、網点を白丸で示しているが、実際には図２（Ｃ）に示す黒色の網点画像が合成される。該複写牽制画像を複写機で複写した場合には、複写機は通常赤外波長を識別できないので、プロセスブラックで印刷された部分及び単色ブラックで印刷された部分のいずれにも同じトナーを適用してしまい、複写物からは潜像画像が消去される結果となる。このようにすることにより、原本と複写物を見分けることができるようにされている。スキャナで読み取った場合も同様である。
【００１９】
そして、該複写牽制画像に含まれる網点画像の各網点は人間の目で見た場合には、黒色にしか見えないため、出力画像に含まれる潜像画像を人間は認識することができないはずである。しかしながら、実際の印刷に際しては、印刷装置１４の特性にも応じて、可視光下でのカーボンブラックとプロセスブラックに微妙な色差や濃度差が生ずることがある。この微妙な色差や濃度差を人間が認識しづらいようにするために、本実施形態では、出力画像を生成する際に、可視画像に不可視画像を合成するだけでなく、カモフラージュ画像をも合成することとしている。
【００２０】
以下本実施形態にかかる画像生成処理を詳細に説明する。図３は、制御装置１２において該画像生成処理を行うために設けられる機能ブロックを示す図である。同図に示すように、制御装置１２は、画像解析部２０、可視画像生成部３０、不可視画像生成部４０−１、カモフラージュ画像生成部５０−１、パターン格納部６０、合成部７０−１を含んで構成される。さらに可視画像生成部３０は、色変換部３２、ディザ処理部３４を含んで構成され、不可視画像生成部４０−１は、色変換部４２、階調補正部４４、ディザ処理部４６を含んで構成され、カモフラージュ画像生成部５０−１は、パターン選択部５２、繰返処理部５４、ディザ処理部５６を含んで構成される。
【００２１】
可視画像生成部３０及び画像解析部２０は、絵柄画像を入力される。該絵柄画像は、絵、図、字又は表などの印刷対象の電子データを画像化したデータであり、一般的には加法混色であるＲＧＢのフルカラー画像であることが多い。そして可視画像生成部３０において、該絵柄画像は色変換部３２に入力され、色変換部３２では、色空間をＲＧＢから減法混色であるＣＭＹに変換する。色変換部３２においてＣＭＹに変換された絵柄画像はディザ処理部３４に入力され、疑似中間調生成処理がなされる。より具体的なディザ処理には、２００線程度の比較的高い線数のディザ処理、万線スクリーン処理、誤差拡散処理などをディザ処理として使用することが好適である。そして、疑似中間調生成処理された絵柄画像（可視画像）は、合成部７０−１に出力される。
【００２２】
また、画像解析部２０では、入力された絵柄画像が、該絵柄画像に潜像画像を合成した際に、人間の目で見て該潜像画像が目立ちやすくなるような画像であるか否かを判断する。すなわち、画像における平坦な部分、言い換えれば位置に応じてあまり色が変化しない部分は、上述の、カーボンブラックとプロセスブラックの微妙な色差や濃度差が目立ちやすくなる。そこで、例えば隣接画素との色差が所定値以下である部分を検出することにより、そのような部分が含まれているか否かを判断する。より具体的には、絵柄画像を所定サイズのブロックに分割し、ブロックごとにエッジ成分の抽出を行う。エッジ成分の抽出には、例えば近傍画素差分処理を使用することができる。そして抽出されたエッジ成分が所定の閾値よりも大きいか否かを判断し、エッジ成分が閾値よりも大きいブロックについては平坦でないと判断する。一方、エッジ成分が閾値よりも小さいブロックについては、平坦であると判断する。そして、平坦でないと判断されたブロックの数（非平坦ブロック数）をカウントし、合成部７０−１に出力する。
【００２３】
不可視画像生成部４０−１は、潜像画像を入力される。該潜像画像は、潜像部と背景部とを有し、潜像部が画素値１、背景部が画素値０となっている２値の網点画像であることが好適である。まず、該潜像画像は色変換部４２に入力される。そして、２値のそれぞれをＣＭＹＫ空間上の２色に変換する。該２色は、印刷された場合に同一濃度の同一色（グレイ色）として再現されるように構成される。より具体的には、画素値０の網点はＣＭＹからなるプロセスブラックに変換され、画素値１の網点は、Ｋのみからなる単色ブラック若しくはＫを含むＣＭＹＫからなるプロセスブラックに変換されることが好適である。
【００２４】
そして色変換部４２において色変換された潜像画像は階調補正部４４に入力され、印刷された場合に同一色・同一濃度となるように階調補正がなされる。なお、印刷装置１４やインク材料の特性により厳密にプロセスブラックと単色ブラック、若しくはＫを含まないプロセスブラックとＫを含むプロセスブラックを同一色・同一濃度とすることは困難であるが、極力同じ色・濃度に近づくよう、予め印刷装置１４やインク材料の特性に合わせて調整されることが好適である。階調補正された潜像画像は、ディザ処理部４６に入力され、疑似中間調生成処理がなされる。より具体的には、１３０線程度の比較的低い線数のディザ処理を使用することができる。そして、疑似中間調生成処理された潜像画像（不可視画像）は、合成部７０−１に出力される。
【００２５】
なお、潜像画像と絵柄画像のサイズは同一であることが好適である。ただし、いずれかが小さい場合には小さい方の画像を引き延ばしてもよいし、大きい方の画像を圧縮してもよい。さらに、潜像画像が小さい場合、潜像画像を所定規則に基づいて繰り返し配置することにより、絵柄画像と同一サイズになるようにしてもよい。
【００２６】
カモフラージュ画像生成部５０−１は、カモフラージュパターンに対応付けられた番号であるパターン番号を入力される。そしてパターン選択部５２は、該パターン番号に基づき、パターン格納部６０からカモフラージュパターン画像を読み出す。すなわち、パターン格納部６０は、パターン番号と対応付けてカモフラージュパターン画像を記憶している。なお、後述するように複数のカモフラージュパターン画像を繰り返し絵柄画像上に配置できるよう、該カモフラージュパターン画像は絵柄画像に比べて小さいサイズとなっていることが好適である。また、該カモフラージュパターン画像はＣＭＹからなる画像であることが好適である。さらに、該カモフラージュパターン画像には、絵柄画像に合成した際に絵柄画像の識別性に影響を与えず、潜像を目立ちにくくし、かつ潜像画像が取得できなくならないような、適切な模様を記憶しておく。例えばカモフラージュパターン画像は低濃度の画像であってもよいし、半透明の画像であってもよい。
【００２７】
そして、パターン選択部５２は、選択したパターン画像を繰返処理部５４に入力し、繰返処理部５４は、該カモフラージュパターン画像を繰り返して配置することにより、通常複数のカモフラージュパターン画像からなる絵柄画像と同じサイズの画像であるカモフラージュ画像を生成する。
【００２８】
そして、該カモフラージュ画像はディザ処理部５６に入力され、疑似中間調生成処理がなされる。より具体的には、２００線程度の比較的高い線数のディザ処理、万線スクリーン処理、誤差拡散処理などをディザ処理として使用することが好適である。そして該疑似中間調生成処理後のカモフラージュ画像を合成部７０−１に出力する。
【００２９】
合成部７０−１は、画像解析部２０から入力される非平坦ブロック数に応じて、可視画像生成部３０から入力される可視画像、不可視画像生成部４０−１から入力される不可視画像、カモフラージュ画像生成部５０−１から入力されるカモフラージュ画像を合成することにより、出力画像データを取得し、印刷装置１４に出力する処理を行う。すなわち、非平坦ブロック数が、予め記憶される閾値より高い場合には、可視画像と不可視画像を合成して得られる画像を出力画像データとし、カモフラージュ画像は合成しない。一方、非平坦ブロック数が、予め記憶される閾値より低い場合には、可視画像と不可視画像とカモフラージュ画像を合成する。このようにして、絵柄画像において潜像画像が目立ちやすい場合にのみ、カモフラージュ画像を合成している。
【００３０】
なお、合成部７０−１における具体的な合成処理は、次の通りである。該合成処理においては、合成される画像の色成分ごとの論理和合成処理を行う。すなわち、各画像はＣＭＹＫ色空間上の画像であり、各画素の色は、トナーごとに該トナーを何％使用するかを決定することにより決定される。そして、画像ａのＣ，Ｍ，Ｙ，Ｋがそれぞれａ１％，ａ２％，ａ３％，ａ４％使用され、画像ｂのＣ，Ｍ，Ｙ，Ｋがそれぞれｂ１％，ｂ２％，ｂ３％，ｂ４％使用されるとすると、画像ａと画像ｂとを合成した画像の色のＣ，Ｍ，Ｙ，Ｋはａ１＋ｂ１％，ａ２＋ｂ２％，ａ３＋ｂ３％，ａ４＋ｂ４％使用される。なお、このような色ごとの使用するトナーの割合をトナー使用率と称することとする。本実施形態では、可視画像とカモフラージュ画像はＣＭＹからなるので、Ｋは０％である。また、不可視画像の網点部分のうち、潜像部はＫがｎ％（ｎ＞０）、背景部はＫが０％である。このため、合成後においても、不可視画像の網点部分の単色ブラックの割合は、潜像部がｎ％（ｎ＞０）、背景部は０％となり、潜像部と背景部との赤外線吸収率の違いが保たれる。
【００３１】
そして以上のようにして生成された出力画像データは、印刷装置１４において、各画素に対応付けられた色に対応するトナーで印刷される。このようにして、本実施形態の画像生成処理により印刷物である複写牽制画像が生成される。
【００３２】
第２の実施形態における画像生成処理において生成されるカモフラージュパターン合成画像の例を示す。図４は、本画像生成処理における、カモフラージュパターン合成画像を示す図である。本実施形態では、カモフラージュパターン画像は実施形態１と同様であるが、可視画像と合成される際に該カモフラージュパターン画像に応じて白抜きがなされるように構成されている。
【００３３】
そして、該カモフラージュパターン合成画像に実施形態１と同様の不可視画像を合成することにより所定の画像処理を行い、赤外線吸収率の異なる網点により構成される潜像を含む複写牽制画像が生成される。
【００３４】
以下、本実施形態にかかる画像生成処理を詳細に説明する。図５は、制御装置１２において該画像生成処理を行うために設けられる機能ブロックを示す図である。同図に示すように、制御装置１２は、画像解析部２０、可視画像生成部３０、不可視画像生成部４０−１、カモフラージュ画像生成部５０−１、パターン格納部６０、合成部７０−２、白抜き合成部８０を含んで構成される。さらに可視画像生成部３０は、色変換部３２、ディザ処理部３４を含んで構成され、不可視画像生成部４０−１は、色変換部４２、階調補正部４４、ディザ処理部４６を含んで構成され、カモフラージュ画像生成部５０−１は、パターン選択部５２、繰返処理部５４、ディザ処理部５６を含んで構成される。
【００３５】
可視画像生成部３０、不可視画像生成部４０−１、カモフラージュ画像生成部５０−１、画像解析部２０における処理及びパターン格納部６０に記憶されるカモフラージュパターン画像は実施形態１と同様であるが、可視画像生成部３０、カモフラージュ画像生成部５０−１、画像解析部２０の出力データ（可視画像、カモフラージュ画像、非平坦ブロック数）の出力先は白抜き合成部８０となり、不可視画像生成部４０−１の出力データの出力先は合成部７０−２となる。
【００３６】
白抜き合成部８０は、画像解析部２０から入力される非平坦ブロック数に応じて、可視画像生成部３０から入力される可視画像、カモフラージュ画像生成部５０−１から入力されるカモフラージュ画像を合成することにより、カモフラージュパターン合成画像を取得し、合成部７０−２に出力する処理を行う。すなわち、非平坦ブロック数が、予め記憶される閾値より高い場合には、カモフラージュ画像は合成せず、可視画像をそのままカモフラージュパターン合成画像として合成部７０−２に出力する。一方、非平坦ブロック数が、予め記憶される閾値より低い場合には、可視画像とカモフラージュ画像を合成する。このようにして、絵柄画像において潜像画像が目立ちやすい場合にのみ、カモフラージュ画像を合成している。
【００３７】
なお、白抜き合成部８０における具体的な合成処理は、次の通りである。まずＣＭＹからなる色が対応付けられるカモフラージュ画像の各画素のうち、Ｃ，Ｍ，Ｙのいずれもが０の画素、すなわち白色の画素については画素値１、Ｃ，Ｍ，Ｙのうちいずれかが０でない画素、すなわち有色の画素（白色でない画素）については画素値０を対応付ける。そして、可視画像の各画素の色成分ごとに、該画素値を乗算する論理積演算処理を行う。すると、カモフラージュ画像の各画素のうち画素値０が対応付けられる画素、すなわち有色の画素に対応するカモフラージュパターン合成画像の画素については、Ｃ，Ｍ，Ｙのいずれもトナー使用率が０％となる。すなわち、白色となる。このようにして、白抜き合成部８０は、カモフラージュ画像に応じて白抜きをした画像であるカモフラージュパターン合成画像を生成している。
【００３８】
そして合成部７０−２は、該カモフラージュパターン合成画像と、不可視画像と、を合成する。この場合には、実施形態１と同様の論理和合成処理を行う。このため、合成後においても、不可視画像の網点部分の単色ブラックの割合は、潜像部がｎ％（ｎ＞０）、背景部は０％となり、潜像部と背景部との赤外線吸収率の違いが保たれる。そして合成部７０−２は、カモフラージュパターン合成画像と、不可視画像と、を合成することにより、出力画像データを取得し、印刷装置１４に出力する処理を行う。
【００３９】
そして以上のようにして生成された出力画像データは、印刷装置１４において、各画素に対応付けられた色に対応するトナーで印刷される。このようにして、本実施形態の画像生成処理により印刷物である複写牽制画像が生成される。
【００４０】
第３の実施形態における画像生成処理において生成される不可視画像の例を示す。図６は、本画像生成処理における、不可視画像を示す図である。本実施形態では、潜像画像及びカモフラージュパターン画像は実施形態１と同様であるが、潜像画像は網点画像である。そして、不可視画像を生成する際に、各網点のサイズをカモフラージュパターン画像に応じて変更している。
【００４１】
そして、該不可視画像に実施形態１と同様の可視画像を合成することにより所定の画像処理を行い、赤外線吸収率の異なる網点により構成される潜像を含む複写牽制画像が生成される。
【００４２】
以下、本実施形態にかかる画像生成処理を詳細に説明する。図７は、制御装置１２において該画像生成処理を行うために設けられる機能ブロックを示す図である。同図に示すように、制御装置１２は、画像解析部２０、可視画像生成部３０、不可視画像生成部４０−２、カモフラージュ画像生成部５０−２、パターン格納部６０、合成部７０−３を含んで構成される。さらに可視画像生成部３０は、色変換部３２、ディザ処理部３４を含んで構成され、不可視画像生成部４０−２は、色変換部４２、階調補正部４４、ディザ処理部４６を含んで構成され、カモフラージュ画像生成部５０−２は、パターン選択部５２、繰返処理部５４を含んで構成される。
【００４３】
可視画像生成部３０、画像解析部２０における処理及びパターン格納部６０に記憶されるカモフラージュパターン画像は実施形態１と同様であるが、可視画像生成部３０、画像解析部２０の出力データ（可視画像）の出力先は合成部７０−３となる。また、画像解析部２０の出力データ（非平坦ブロック数）の出力先は階調変調部４５となる。
【００４４】
また、色変換部４２、階調補正部４４、ディザ処理部４６、パターン選択部５２、繰返処理部５４における処理も実施形態１と同様であるが、不可視画像生成部４０−２の出力データであるディザ処理部４６の出力データ（不可視画像）の出力先は合成部７０−３となり、繰返処理部５４の出力データの出力先は階調変調部４５となる。
【００４５】
階調変調部４５は、画像解析部２０から入力される非平坦ブロック数に応じて、階調補正部４４から出力される階調補正された潜像画像と、繰返処理部５４から出力されるカモフラージュ画像と、に基づいて、潜像画像を変調する。具体的には、非平坦ブロック数が、予め記憶される閾値より高い場合には、潜像画像の各画素にカモフラージュ画像の各画素の画素値を色成分毎に加算することにより、潜像画像の変調を行う。
【００４６】
そして階調変調部４５は、このようにして変調処理された潜像画像を、ディザ処理部４６に出力する。一方、非平坦ブロック数が、予め記憶される閾値より低い場合には、該変調処理を行わず、階調補正された潜像画像をそのままディザ処理部４６に出力する。
【００４７】
そしてディザ処理部４６は、入力された潜像画像について、実施形態１と同様の疑似中間調生成処理を行い、該疑似中間調生成処理された潜像画像（不可視画像）は、合成部７０−３に出力される。
【００４８】
合成部７０−３は、該不可視画像と、可視画像と、を合成する。この場合には、実施形態１と同様の論理和合成処理を行う。このため、合成後においても、不可視画像の網点部分の単色ブラックの割合は、潜像部がｎ％（ｎ＞０）、背景部は０％となり、潜像部と背景部との赤外線吸収率の違いが保たれる。そして合成部７０−２は、カモフラージュパターン合成画像と、不可視画像と、を合成することにより、出力画像データを取得し、印刷装置１４に出力する処理を行う。
【００４９】
そして以上のようにして生成された出力画像データは、印刷装置１４において、各画素に対応付けられた色に対応するトナーで印刷される。このようにして、本実施形態の画像生成処理により印刷物である複写牽制画像が生成される。
【００５０】
以上のようにすることにより、複写牽制画像に含まれる潜像画像の、可視光下での視認性を低下させることができる。すなわち、カモフラージュ画像が人間の注意を拡散するので、カモフラージュ画像を目立たなくすることができるようになる。さらに、絵柄画像の平坦度に応じてカモフラージュ画像を合成できるので、必要のある場合、すなわち目立ちやすい絵柄画像にのみ、カモフラージュ画像を合成することができる。
【図面の簡単な説明】
【００５１】
【図１】本発明の実施の形態にかかる画像処理システムの構成を示すブロック図である。
【図２】本発明の実施の形態にかかる出力画像、可視画像、不可視画像及びカモフラージュ画像である。
【図３】本発明の実施の形態にかかる画像生成処理のための機能ブロック図である。
【図４】本発明の実施の形態にかかるカモフラージュパターン合成画像である。
【図５】本発明の実施の形態にかかる画像生成処理のための機能ブロック図である。
【図６】本発明の実施の形態にかかる不可視画像である。
【図７】本発明の実施の形態にかかる画像生成処理のための機能ブロック図である。
【符号の説明】
【００５２】
１０  画像生成装置、１２  制御装置、１４  印刷装置、２０  画像解析部、３０  可視画像生成部、３２  色変換部、３４  ディザ処理部、４０  不可視画像生成部、４２  色変換部、４４  階調補正部、４５  階調変調部、４６，５６  ディザ処理部、５０  カモフラージュ画像生成部、５２  パターン選択部、５４  繰返処理部、６０  パターン格納部、７０  合成部、８０  白抜き合成部。
【図１】
2006086903.tif 000003
【図２】
2006086903.tif 000004
【図３】
2006086903.tif 000005
【図４】
2006086903.tif 000006
【図５】
2006086903.tif 000007
【図６】
2006086903.tif 000008
【図７】
2006086903.tif 000009